(57)【要約】【課題】焦点距離の調節を自らの操作で行いたいというユーザのニーズに応えることができ、かつコンパクトなカメラを提供すること。【解決手段】回転ダイヤル１０３を、カメラボディ１０１から露出するように設ける。ユーザが回転ダイヤル１０３を回すことにより、ズームの倍率ををあわせることが可能なカメラにする。従来のカメラで行っていたズーム調整を行うのと同様の操作感覚をユーザに与える。また、レンズを駆動するための駆動源（モータ等）、およびそれをカム筒等の鏡胴構成部材に伝達するギア列等が不要となりカメラボディが小型化および薄型化される。さらにレンズを駆動する際に電源を消費することがないので電池も小型化され、カメラボディも薄型かつ小型になる。【選択図】　　　　図１
2004029665.tif 000002
【特許請求の範囲】
【請求項１】
被写体からの光を取り込んで所定の撮影面上に結像させる撮影光学系を備え、該撮影面上に結像された被写体像を捉えることにより撮影を行うカメラにおいて、
前記撮影光学系は、被写体に対面する第１のレンズ群と、該第１のレンズ群を経由して取り込まれた被写体光を反射させる反射部材と、該反射部材で反射した被写体光を前記撮影面上に導く第２のレンズ群とを備え、少なくとも前記反射部材および前記第２のレンズ群がカメラ本体に内蔵されるものであって、
前記第２のレンズ群のうちの少なくとも一つのレンズの位置の手動調整を受けるレンズ調整部を備えたものであることを特徴とするカメラ。
【請求項２】
前記レンズ調整部は、
レンズ枠に設けられたカムフォロアと、
前記カムフォロアと係合するカム溝が内周に螺旋状に形成されそのカム溝に手動で回転を与えることが自在な、カメラ本体から露出した回転ダイヤルと、
前記回転ダイヤルの内周側に配設され、前記カム溝に嵌入されるカムフォロアがさらに嵌入される直進溝を備えた固定筒とを備えたものであることを特徴とする請求項１記載のカメラ。
【発明の詳細な説明】
【０００１】
【発明の属する技術分野】
本発明は、被写体からの光を取り込んで所定の撮影面上に結像させる撮影光学系を備えたカメラに関する。
【０００２】
【従来の技術】
カメラの超薄型化に伴い、反射部材を備えた撮影光学系がカメラ内に配備されたカメラが考えられている。それ以前のカメラでは撮影レンズからフィルムあるいは撮像素子まで撮影光を直線的に導くため、どうしても焦点距離などを保つためにカメラボディにある程度の厚みが必要である。この厚みが薄型化の壁になっているが、反射部材を備えた撮影光学系の発案により、この壁が破られ、より一層の薄型化が実現可能な状況となってきている。このような撮影光学系としては特開平１１−２５８６７８号公報に記載されたものがある。
【０００３】
この発案された撮影光学系を備えるカメラにおいては、その撮影光学系がカメラボディ内に内蔵されるものであるため、薄型化を図る上においてはこの上もないメリットをもたらすものとして注目を集めている。しかもこの発案された撮影光学系は焦点距離が可変な撮影光学系であって、その撮影光学系を構成する複数のレンズの中の、焦点距離を変更することが自在なレンズを動かすことにより、焦点距離の調節をも行うことができるメリットを有する。
【０００４】
【発明が解決しようとする課題】
しかし、ユーザの中には、今までのカメラのようにレンズ鏡胴に配備されている操作環と同じ様に自らの操作で焦点距離の調節を行いたいと思う人も少なくない。また撮影光学系が薄型化に適してはいても、焦点距離調節といった調節を自動で行なうためには撮影レンズを駆動するための駆動源（モータ等）、及びそれをカム筒等の鏡胴構成部材に伝達するギア列も薄型のカメラボディ内に組み込まなければならず、どうしてもカメラボディの薄型化、小型化に限界が生じてしまうという問題もある。
【０００５】
本発明は、上記事情に鑑み、ユーザのニーズに応えることができ、かつコンパクトなカメラを提供することを目的とする。
【０００６】
【課題を解決するための手段】
上記目的を達成する本発明のカメラは、被写体からの光を取り込んで所定の撮影面上に結像させる撮影光学系を備え、該撮影面上に結像された被写体像を捉えることにより撮影を行うカメラにおいて、
前記撮影光学系は、被写体に対面する第１のレンズ群と、該第１のレンズ群を経由して取り込まれた被写体光を反射させる反射部材と、該反射部材で反射した被写体光を前記撮影面上に導く第２のレンズ群とを備え、少なくとも前記反射部材および前記第２のレンズ群を備えたものであって、
前記第２のレンズ群のうちの少なくとも一つのレンズの位置の手動調整を受けるレンズ調整部を備えたものであることを特徴とする。
【０００７】
上記発明のカメラによれば、カメラボディに内蔵された撮影レンズの中の焦点距離可変なレンズの位置を、撮影者自ら回転ダイヤルを操作することにより調整することができる。このように手動調整部を設けると、第２のレンズ群の中の少なくとも一つを駆動するための駆動源（モータ等）、及びそれをカム筒等の鏡胴構成部材に伝達するギア列をカメラボディ内に組み込む必要がなくなり、その駆動源に電力を供給するための電池の容量をも小さくすることができるので、より一層カメラボディの薄型化、小型化を図ることができる。
【０００８】
ここで、前記手動調整部は、レンズ枠に設けられたカムフォロアと、
前記カムフォロアと係合するカム溝が内周に螺旋状に形成されそのカム溝に手動で回転を与えることが自在な、カメラ本体から露出した回転ダイヤルと、
前記回転ダイヤルの内周側に配設され、前記カム溝に嵌入されるカムフォロアがさらに嵌入される直進溝を備えた固定筒とを備えたものであることが好ましい。
【０００９】
このように回転ダイヤルをカム筒として作用させ、レンズ枠に設けられたカムフォロアをその回転ダイヤルの内周に設けられたカム溝と固定筒の直進溝双方に係合させると、回転ダイヤルを指で回すだけでレンズ枠とともに焦点距離可変なレンズを光軸に対し、前後に移動させることができる。
【００１０】
【発明の実施の形態】
以下、本発明の実施形態について説明する。
【００１１】
図１（ａ）はカメラの外観を示す構成斜視図であり、また図１（ｂ）は図１（ａ）のカメラを背面から見た背面図である。
【００１２】
図１（ａ）に示すように本実施形態のカメラ１００のカメラボディ１０１は薄型構造で、カメラボディ１０１内には撮影光学系１１０と閃光発光装置とが備えられている。カメラボディ１０１表面にはカメラボディ１０１内部に配設されたレンズ群に被写体光を導くための対物レンズ１０１１ａと閃光発光装置の閃光を被写体に向けて発光するための閃光発光窓１０１１ｃとがファインダ窓１０１１ｂを挟んで設けられている。本実施形態のカメラ１００にはファインダ窓１０１ｂも設けられており、そのファインダ窓１０１ｂを経由して導かれる被写体光がカメラ背面側に設けられた図示しない接眼部で視認可能な構成になっている。なお、被写体に対面するレンズ１０１１ａとファインダの対物窓１０１ｂと閃光発光窓１０１ｃは一体成型された部材１０１１からなる。
【００１３】
また、このカメラ１００には、撮影光学系の中の焦点距離可変なレンズの位置を調整するための回転ダイヤル１０３がカメラボディ１０１から露出して設けられている。
【００１４】
この回転ダイヤル１０３により撮影光学系１１０の中の焦点距離可変なレンズが動かされてユーザによりズーム倍率が定められた後で、レリーズ釦１０２が押されて撮影が行われる。
【００１５】
またこのカメラにはＬＣＤ表示装置も備えられており、カメラボディ１０１の背面側には図１（ｂ）に示すようにそのＬＣＤ表示装置の表示パネル１２０が配設されている。上記撮影光学系１１０で固体撮像素子の撮影面上に結像させた画像データに基づいて、この表示パネル１２０に被写体像の表示が行われる。したたって表示パネル１２０の被写体像でもフレーミングが行える。そのＬＣＤ表示装置の表示パネル１２０で表示される被写体像あるいはファインダを通して視認される被写体像いずれかでフレーミングを行い、レリーズ釦１０２を押して撮影を行うことができる。なお、表示パネルにはピントの合った被写体像が常に表示されている。
【００１６】
ここで図２を参照して撮影光学系の構成の概要を説明する。
【００１７】
図２に示すように反射ミラー１１１がレンズ１０１１ａの光軸に合う位置に配設されている。この反射ミラー１１１によって反射された被写体光がレンズ群１１２〜１１５に導かれる。そしてレンズ群１１２〜１１５で固体撮像素子１１６に被写体像を結像させる。これらのレンズ群１１２〜１１５はそれぞれレンズ保持枠１１２ａ〜１１５ａに保持されている。レンズ群１１２〜１１５の中には撮影光学系の焦点距離の変更のために位置調整されるレンズ１１３があり、そのレンズ１１３がカメラボディ１０１から露出して設けられている回転ダイヤル１０３の回転操作によって動かされる。
【００１８】
ここで図３、図４を参照して焦点距離可変なレンズ１１３を動かすレンズ調整部の構成要素である回転ダイヤルおよび固定筒の構造を説明する。
【００１９】
図１（ａ）に示すように回転ダイヤル１０３はカメラボディ１０１の一部を切り欠くようにして配設されている。
【００２０】
この回転ダイヤル１０３は図３に示すようにカム筒として機能するように中空の円筒状になっており、その内周には螺旋状を描くようなカム溝１０３ａ，１０３ｂが設けられている。これらのカム溝１０３ａ，１０３ｂは有底溝であって、レンズ枠１１３ａに設けられたカムフォロア１１３ｂがこれらのカム溝１０３ａ，１０３ｂにそれぞれ係合される。
【００２１】
またその筒形状の回転ダイヤルの内側には図４に示す固定筒１０４が配設される。この固定筒１０４には図４に示すように、二つの直進溝１０４ａ，１０４ｂがそれぞれ設けられており、これらの直進溝１０４ａ，１０４ｂと前述した螺旋状のカム溝１０３ａ，１０３ｂとがあわされ、レンズ枠１１３ａのカムフォロア１１３１ａ，１１３１ｂがそれぞれ係合される。つまり螺旋状のカム溝１０３ａ，１０３ｂに交叉するように固定筒１０４の直進溝１０４ａ，１０４ｂが配置されれば、回転ダイヤル１０３が回されることにより駆動されるカムフォロア１１３１ａ，１１３１ｂが固定筒１０４の直進溝１０４ａ，１０４ｂに沿って進退自在になる。
【００２２】
ここで図５の断面図を参照して詳細にカムフォロア１１３ｂとカム溝１０３ａ，１０３ｂと直進溝１０４ａ，１０４ｂとの関わりを説明する。
【００２３】
カム筒の役割を果たす回転ダイヤル１０３に設けられた二つのカム溝１０３ａ，１０３ｂにはレンズ枠１１３のカムフォロワ１１３１ａ，１１３１ｂがそれぞれ係合される。そのカム筒の役割を果たす回転ダイヤル１０３の内周側には有底のカム溝１０３ａ，１０３ｂが設けられており、それらのカム溝１０３ａ，１０３ｂにレンズ保持枠１１３のカムフォロア１１３１ａ，１１３１ｂが係合されている。
【００２４】
一方、固定筒１０４に設けられている直進溝１０４ａ，１０４ｂの方はそれらのカム溝１０３ａ，１０３ｂに交叉する位置にそれぞれ配設されている。図５の固定筒１０４に切り欠きのように示されているのが直進溝１０４ａ，１０４ｂであり、その切り欠かれた範囲が焦点距離を変更するために位置調整されるレンズ１１３が移動することが可能な距離に当たる。
【００２５】
一方、カム筒として作用する回転ダイヤル１０３側にも切り欠き１０３１ａ，１０３１ｂが示されている。これらの切り欠き１０３１ａ，１０３１ｂが回転ダイヤル１０３の内周面の広い範囲にわたって設けられている螺旋状のカム溝１０３ａ，１０３ｂの一部に当たる。
【００２６】
レンズ枠１１３のカムフォロア１１３１ａ，１１３１ｂは、有底溝であるカム溝１０３ａ，１０３ｂにより保持されており、回転ダイヤル１０３がいずれかの方向に回されれば、螺旋状の二つのカム溝１０３ａ，１０３ｂに沿って図５の長手方向のいずれかの方向に進み、あるいは退き始める。このとき直進溝１０４ａ，１０４ｂの方にもそれらの螺旋状のカム溝１０３ａ，１０３ｂを動くカムフォロア１１３１ａ，１１３１ｂが係合されているのでカムフォロア１１３１ａ，１１３１ｂは螺旋状の二つのカム溝１０３ａ，１０３ｂを進んだ、あるいは退いた位置で直進溝１０４ａ，１０４ｂの一部に係合されたままになる。これらのカムフォロア１１３１ａ，１１３１ｂがレンズ１１３の移動範囲を定める直進溝１０４ａ，１０４ｂのいずれの部分にあるかで、焦点距離可変なレンズ１１３の位置が定められる。
【００２７】
以上説明したように、本発明のカメラによれば、撮影光学系１１０の中の、焦点距離を変更するために位置調整されるレンズ１１３の位置を回転ダイヤル１０３によって自在に操ることができる。
【００２８】
【発明の効果】
以上、説明したように、本発明のカメラによれば、焦点距離の調節を撮影者自らの操作で行いたいというユーザのニーズに応えることができるカメラを提供することができる。また、本発明のカメラによれば撮影者自らの操作で焦点距離可変なレンズの位置を調整することができるので、そのレンズを駆動するための駆動源（モータ等）、及びそれをカム筒等の鏡胴構成部材に伝達するギア列が不要となり、カメラボディがより一層薄型化、かつ小型化されるといった効果も得られる。さらに焦点距離可変なレンズを駆動する際に電源を消費することもなく、電池も小型化され、カメラボディがより一層小型化されるという効果もある。
【図面の簡単な説明】
【図１】本発明の実施形態を示すカメラの外観を示す図である。
【図２】図１に示すカメラの撮影光学系を示す図である。
【図３】回転ダイヤルの構成を示す図である。
【図４】回転ダイヤルの内側に配設される固定筒の構成を示す図である。
【図５】図３に示した回転ダイヤルの有底溝と、図４に示した固定筒の直進溝とのかかわりを説明するための図である。
【符号の説明】
１００　　カメラ
１０１　　カメラボディ
１０１１　　一体成型部材
１０１１ａ　　対物レンズ
１０１１ｂ　　ファインダ対物窓
１０１１ｃ　　閃光発光窓
１０２　　レリーズ釦
１０３　　回転ダイヤル
１０３ａ　１０３ｂ　　カム溝
１０４　　固定筒
１０４ａ　１０４ｂ　　直進溝
１１０　　撮影光学系
１１１　　反射ミラー
１１２〜１１５　　撮影レンズ
１１２ａ〜１１５ａ　　撮影レンズ保持枠
１１３１ａ　１１３１ｂ　　カムフォロワ
１１６　　固体撮像素子
１２０　　表示パネル
【図１】
2004029665.tif 000003
【図２】
2004029665.tif 000004
【図３】
2004029665.tif 000005
【図４】
2004029665.tif 000006
【図５】
2004029665.tif 000007